(57)【要約】【課題】子機同士が親機を介して互いに内線通話中に接続異常を検出した場合、スムーズにその接続を回復させることのできる電話装置を提供する。【解決手段】公衆電話回線２８を通じて相手先と通信可能な親機１と、この親機１に接続可能でありかつ親機１を介して内線通話の可能な複数の子機２とを備え、親機１は、内線通話を行っている複数の子機２同士と接続されているとき、内線通話を行っている子機２Ａとの接続異常を検出したとき、内線通話を行っている子機２Ｂに対して、接続異常が検出された旨のコマンドを送信し、子機２Ｂは、接続異常を検出した旨のコマンドが受信されたとき、その接続を回復すべきコマンドを親機１に対して送信する。【選択図】　図５
2004120207.tif 000002
【特許請求の範囲】
【請求項１】
回線を通じて相手先と通信可能な親機と、この親機に接続可能でありかつ前記親機を介して内線通話の可能な複数の子機とを備える電話装置であって、
前記親機は、
内線通話を行っている複数の子機同士と接続されているとき、前記いずれかの子機との接続異常を検出する検出手段と、
前記検出手段によって内線通話を行っている一方の子機との接続異常を検出したとき、内線通話を行っている他方の子機に対して、接続異常が検出された旨のコマンドを送信するリンク異常コマンド送信手段とを有し、
前記他方の子機は、
前記リンク異常コマンド送信手段によって接続異常を検出した旨のコマンドが受信されたとき、その接続を回復すべきコマンドを前記親機に対して送信する接続回復コマンド送信手段を有することを特徴とする電話装置。
【請求項２】
前記他方の子機は、
ユーザによって、前記接続を回復すべきコマンドを送信するための入力信号を入力可能な入力手段を有し、
前記接続回復コマンド送信手段は、
前記入力手段によって入力された入力信号に基づいて、接続を回復すべきコマンドを前記親機に対して送信する、請求項１に記載の電話装置。
【請求項３】
前記検出手段は、
前記各子機に対して定期的に送られる定期コマンドに応答して、前記いずれかの子機からの応答了解コマンドが当該子機から返信されないとき、接続異常を検出する、請求項１または２に記載の電話装置。
【請求項４】
前記親機は、
前記他方の子機から接続を回復すべきコマンドを受信したとき、予め設定されていたチャネルとは別のチャネルに切り替え、切り替えたチャネルに基づいて接続を回復するためのチャネル指定コマンドを送信する指定コマンド送信手段を有する、請求項１ないし３のいずれかに記載の電話装置。
【請求項５】
前記親機は、
前記指定コマンド送信手段によるチャネル指定コマンドに対する前記子機からの応答コマンドを受信する応答コマンド受信手段と、
前記応答コマンド受信手段によって受信した応答コマンドがＡＣＫコマンドである場合、前記子機に対して子機間通話コマンドを送信する子機間通話コマンド送信手段とをさらに有する、請求項４に記載の電話装置。
【請求項６】
前記親機は、
前記応答コマンド受信手段によって受信した応答コマンドがＮＡＣＫコマンドである場合、前記チャネルをさらに別のチャネルに切り替える切替手段をさらに有する、請求項５に記載の電話装置。
【発明の詳細な説明】
【０００１】
【発明の属する技術分野】
本発明は、親機と、それに接続可能な複数の子機とを備える電話装置に関し、特に子機間で内線通話を行うときの制御に関する。
【０００２】
【従来の技術】
従来より、公衆電話回線に接続された、いわゆるコードレス電話機には、携帯可能な子機が付属されている。このような電話機においては、子機同士で親機を介して内線通話を行うことができるものがある（たとえば、特許文献１、２参照）。
【０００３】
【特許文献１】
特開平８−１９０５１号公報
【特許文献２】
特開平５−２９２０１９号公報
【０００４】
上記した特開平８−１９０５１号公報には、子機同士で内線通話を行う際、子機の待ち受け中に通話圏内であるかまたは通話圏外であるかを検出し、その旨を報知する技術が開示されている。これにより、ユーザは、子機の待ち受け中であっても、子機が通話圏内あるいは通話圏外であることを認識することができる。
【０００５】
【発明が解決しようとする課題】
しかしながら、上記公報に開示されている技術によると、待ち受け中に通話圏外であるかを検出し報知した後は、親機と子機との接続を回復させるべき具体的な処理を行っておらず、ユーザにとっては利便性に欠くものであった。
【０００６】
本発明は、上記の点に鑑みて提案されたものであって、子機同士が親機を介して互いに内線通話中に接続異常を検出した場合、スムーズにその接続を回復させることのできる電話装置を提供することを目的とする。
【０００７】
【課題を解決するための手段】
上記目的を達成するために、請求項１に記載した発明の電話装置は、回線を通じて相手先と通信可能な親機と、この親機に接続可能でありかつ前記親機を介して内線通話の可能な複数の子機とを備える電話装置であって、前記親機は、内線通話を行っている複数の子機同士と接続されているとき、前記いずれかの子機との接続異常を検出する検出手段と、前記検出手段によって内線通話を行っている一方の子機との接続異常を検出したとき、内線通話を行っている他方の子機に対して、接続異常が検出された旨のコマンドを送信するリンク異常コマンド送信手段とを有し、前記他方の子機は、前記リンク異常コマンド送信手段によって接続異常を検出した旨のコマンドが受信されたとき、その接続を回復すべきコマンドを前記親機に対して送信する接続回復コマンド送信手段を有することを特徴としている。
【０００８】
このような電話装置によれば、親機において、内線通話を行っている一方の子機との接続に接続異常が検出されたとき、その旨をコマンドにして他方の子機に送り、他方の子機では、接続を回復すべきコマンドを親機に対して送信するので、親機では、この接続を回復すべきコマンドに応じて、再接続の処理が行われるため、親機と子機との接続を迅速に回復することができ、内線通話を即座に再開させることができる。なお、他方の子機では、親機から接続異常が検出された旨のコマンドが送られたとき、接続を回復すべきコマンドを親機に対して自動的に送信するようにしてもよい。これによると、親機と子機との接続が自動的に回復するので、ユーザに対して違和感を与えることなく、内線通話をスムーズに再開させることができる。
【０００９】
また、請求項２に記載した発明の電話装置は、請求項１に記載の電話装置であって、前記他方の子機は、ユーザによって、前記接続を回復すべきコマンドを送信するための入力信号を入力可能な入力手段を有し、前記接続回復コマンド送信手段は、前記入力手段によって入力された入力信号に基づいて、接続を回復すべきコマンドを前記親機に対して送信する。
【００１０】
このような電話装置によれば、請求項１に記載の電話装置による効果に加え、ユーザによる入力操作によって接続を回復することができるので、ユーザは、接続異常が生じたことを認識した上で、接続を回復させるべき入力操作を行うことができる。
【００１１】
また、請求項３に記載した発明の電話装置は、請求項１または２に記載の電話装置であって、前記検出手段は、前記各子機に対して定期的に送られる定期コマンドに応答して、前記いずれかの子機からの応答了解コマンドが当該子機から返信されないとき、接続異常を検出する。
【００１２】
このような電話装置によれば、請求項１または２に記載の電話装置による効果に加え、子機に対して送られた定期コマンドに応答した応答了解コマンドが返信されないとき、接続異常を検出するので、容易に親機と子機との接続異常を検出することができる。
【００１３】
また、請求項４に記載した発明の電話装置は、請求項１ないし３のいずれかに記載の電話装置であって、前記親機は、前記他方の子機から接続を回復すべきコマンドを受信したとき、予め設定されていたチャネルとは別のチャネルに切り替え、切り替えたチャネルに基づいて接続を回復するためのチャネル指定コマンドを送信する指定コマンド送信手段を有する。
【００１４】
このような電話装置によれば、請求項１ないし３のいずれかに記載の電話装置による効果に加え、接続異常が検出されたときには、それ以前に用いられていたチャネル（たとえば通話チャネル）に何らかの障害が生じている可能性が高いため、上記のように別のチャネルに切り替えれば、通話チャネルに障害が生じている等の不都合を解消して、親機と子機との接続をより確実に回復させることができる。
【００１５】
また、請求項５に記載した発明の電話装置は、請求項４に記載の電話装置であって、前記親機は、前記指定コマンド送信手段によるチャネル指定コマンドに対する前記子機からの応答コマンドを受信する応答コマンド受信手段と、前記応答コマンド受信手段によって受信した応答コマンドがＡＣＫコマンドである場合、前記子機に対して子機間通話コマンドを送信する子機間通話コマンド送信手段とをさらに有する。
【００１６】
このような電話装置によれば、請求項４に記載の電話装置による効果に加え、子機からＡＣＫコマンドを受信した場合、子機に対して子機間通話コマンドを送信するので、スムーズに子機間同士の通話を開始させることができる。
【００１７】
また、請求項６に記載した発明の電話装置は、請求項５に記載の電話装置であって、前記親機は、前記応答コマンド受信手段によって受信した応答コマンドがＮＡＣＫコマンドである場合、前記チャネルをさらに別のチャネルに切り替える切替手段をさらに有する。
【００１８】
このような電話装置によれば、請求項５に記載の電話装置による効果に加え、子機からＮＡＣＫコマンドを受信した場合、チャネルをさらに別のチャネルに切り替えるので、親機と子機との接続をより迅速に回復させることができる。
【００１９】
【発明の実施の形態】
以下、本発明の好ましい実施の形態について添付図面を参照して説明する。
【００２０】
図１は、本発明に係る電話装置の一例を示す概略ブロック構成図である。この電話装置は、ファクシミリ装置からなる親機１と、この親機１に無線によって通信可能な子機２とを備えて構成されている。なお、説明の便宜上、互いに内線通話を行う子機を、「子機２Ａ」および「子機２Ｂ」とそれぞれいうことにする。
【００２１】
親機１は、図示されていないが、たとえばインクジェット方式の印刷機能、画像読取機能（スキャナ機能）、および画像の通信機能等の各機能を複合的に備えたものである。親機１は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機１は、たとえばパーソナルコンピュータに接続された状態で独立した形で印刷装置やスキャナとして利用することもできる。また、印刷機能と画像読取機能とを連動させることで、コピー機として利用することもできる。
【００２２】
親機１は、ＣＰＵ１０、ＮＣＵ１１、ＲＡＭ１２、モデム１３、ＲＯＭ１４、ＮＶＲＡＭ（不揮発性ＲＡＭ：Ｎｏｎ−Ｖｏｌａｔｉｌｅ　ＲＡＭ）１５、ゲートアレイ１６、コーデック１７およびＤＭＡＣ１８を備え、それらは、バス１９により相互に接続されている。バス１９には、アドレスバス、データバスおよび制御信号線が含まれる。また、この親機１では、ゲートアレイ１６に、読取部２１、印刷部２２、操作部２３、表示部２４、コードレス制御部２５、コンパンダ２６、および無線モジュール２７が接続されて具備されている。ＮＣＵ１１には、公衆電話回線２８が接続されている。コードレス制御部２５には、ＥＥＰＲＯＭ２９およびコンパンダ２６が接続されている。無線モジュール２７は、コンパンダ２６およびコードレス制御部２５に接続されている。また、親機１には、図示しないマイクロフォンやスピーカを内蔵したハンドセットが接続されている。
【００２３】
ＣＰＵ１０は、親機１全体の動作を制御するものである。ＮＣＵ１１は、公衆電話回線２８に接続されることにより網制御を行うものである。ＲＡＭ１２は、ＣＰＵ１０の作業領域等を提供するものである。モデム１３は、音声データやファクシミリデータの変調や復調等を行うものである。ＲＯＭ１４は、ＣＰＵ１０が実行すべきプログラム等を記憶するものである。ＮＶＲＡＭ１５は、データや各種の情報を記憶するものである。なお、ＣＰＵ１０には、内線通話中の子機２との接続状態を監視するための図示しないタイマが内蔵されている。
【００２４】
ゲートアレイ１６は、ＣＰＵ１０と各部２１〜２７とのインターフェイスとして機能するものである。コーデック１７は、音声信号やファクシミリデータ等の符号化や復号化を行うものである。ＤＭＡＣ１８は、主にＲＡＭ１２へのデータの書き込みや読み出しを行うものである。
【００２５】
読取部２１は、たとえばイメージセンサ、ＬＥＤ光源、および原稿送りモータ（いずれも図示せず）等を備え、ＣＰＵ１０の制御に応じてファクシミリ原稿等からイメージ画像を読み取るものである。
【００２６】
印刷部２２は、感熱方式等により文字や図形等の画像をモノクロまたはカラーで印刷するものである。
【００２７】
操作部２３は、図２に示すように、数字キー２３Ａ、ジョグダイヤルキー２３Ｂ、その他の操作キー等を備え、ユーザのキー操作による入力信号をＣＰＵ１０に伝えるものである。
【００２８】
表示部２４は、同じく図２に示すように、たとえば液晶ディスプレイパネル２４Ａを備え、この液晶ディスプレイパネル２４Ａに動作状態や操作ガイダンス等を表示するものである。
【００２９】
無線モジュール２７は、図示しないアンテナを備え、制御チャネルや通話チャネルを用いて各子機２との間で音声信号や各種のデータのやり取りを行う。
【００３０】
コンパンダ２６は、子機２から無線モジュール２７を介して送られる音声信号およびデータ信号を切り分けて、音声信号をＣＰＵ１０側に、データ信号をコードレス制御部２５側に送るものである。また、逆にＣＰＵ１０側からの音声信号やデータ信号を無線モジュール２７に送るものである。
【００３１】
コードレス制御部２５は、子機２との通信に関する制御を行うものであり、ＥＥＰＲＯＭ２９は、コードレス制御部２５によって制御され、たとえば子機２の台数や増設された子機２のＩＤ番号等を記憶するためのものである。
【００３２】
子機２は、たとえば住宅内において親機１が設置された部屋とは異なる部屋等に仮設置される。子機２は、図１に示すように、制御部４１、ＲＯＭ４２、ＲＡＭ４３、およびＥＥＰＲＯＭ４４等が備えられ、これらは互いにバス４５によって接続されている。制御部４１には、無線モジュール４６、コンパンダ４７、操作部４８および表示部４９が接続されている。無線モジュール４６は、コンパンダ４７が接続されている。また、コンパンダ４７には、スピーカ５１およびマイクロフォン５２が接続されている。
【００３３】
制御部４１は、子機２の全体動作を制御するものである。ＲＯＭ４２は、制御部４１が実行すべきプログラム等を記憶するものである。ＲＡＭ４３は、制御部４１の作業領域等を提供するものである。ＥＥＰＲＯＭ４４は、データや各種の情報を記憶するものである。
【００３４】
操作部４８は、図３に示すように、数字キー４８Ａ、セレクトキー４８Ｂ、およびその他の操作キー等を備え、ユーザの操作に応じた入力信号を制御部４１に伝えるものである。なお、以下の説明では、内線通話を要望するための内線キー、自己が送話することを要望するための通話キー、再接続を要望するための再接続キー、および内線通話を終了させるための終了キー等が述べられるが、上記数字キー４８Ａ、セレクトキー４８Ｂ、およびその他の操作キー等が組み合わせられて入力されることにより、内線キー等の機能を代用するようにされている。
【００３５】
表示部４９は、同じく図３に示すように、たとえば液晶ディスプレイパネル４９Ａを備え、この液晶ディスプレイパネル４９Ａに動作状態や操作ガイダンス等を表示するものである。
【００３６】
無線モジュール４６は、図示しないアンテナを備え、制御チャネルや通話チャネルを用いて親機１や他の子機２との間で音声信号や各種のデータのやり取りを行う。
【００３７】
コンパンダ４７は、親機１から無線モジュール４６を介して送られる音声信号およびデータ信号を切り分けて、音声信号をスピーカ５１に、データ信号を制御部４１に送るものである。また、マイクロフォン５２からの音声信号や制御部４１からのデータ信号を無線モジュール４６を介して親機１に送るものである。
【００３８】
スピーカ５１およびマイクロフォン５２は、これらによって、親機１や他の子機２との間で通話が可能なようにされるものである。
【００３９】
次に、この構成における上記電話装置の制御動作を、図４および図５に示すフローシーケンス図を参照して説明する。なお、この電話装置における子機間の内線通話は、いわゆるトランシーバ方式が採用され、たとえば子機２Ａが送話中の場合は、子機２Ｂは受話中となり、そのとき、子機２Ｂは、子機２Ａに送話できない状態とされる。子機２Ｂが送話できるのは、子機２Ａの送話が終了した後となる。
【００４０】
まず、子機２Ａにおいて、ユーザによる操作部４８の内線キーの入力操作によって、内線通話をする旨および通話する相手側子機（子機２Ｂ）の入力が行われると、子機２Ａは、制御チャネルを用いて、親機１に対してリンク接続するためのリンクコマンドを送信する（Ｓ１）。
【００４１】
親機１は、そのリンクコマンドに応答して子機２Ａに通話チャネル指定コマンドを返信する（Ｓ２）。これにより、通話チャネルが指定され、子機２Ａから親機１に子機間通話コマンドが送信され（Ｓ３）、親機１と子機２Ａとは接続が確立した状態となる。
【００４２】
その後、親機１は、一旦、子機２Ａとの接続を切断するための切断コマンドを送信し（Ｓ４）、子機２Ａおよび子機２Ｂのそれぞれに対して、リンクコマンドを送信するとともに（Ｓ５，Ｓ６）、通話チャネル指定コマンドを送信する（Ｓ７，Ｓ８）。これにより、両子機２Ａ，２Ｂとの通話が可能となり、親機１は、子機２Ａおよび子機２Ｂのそれぞれに対して、一定間隔でかつ交互に子機間通話コマンドを送信する（Ｓ９，Ｓ１１，Ｓ１３，Ｓ１５）。子機２Ａおよび子機２Ｂでは、この子機間通話コマンドに応答してＡＣＫコマンドを親機１に対してそれぞれ送信する（Ｓ１０，Ｓ１２，Ｓ１４）。
【００４３】
また、子機２Ｂでは、親機１からの子機間通話コマンドを受信すると、表示部４９の液晶ディスプレイパネル４９Ａに「着信中」である旨を表示させ、ユーザによって操作部４８の内線キーが押下されることにより、ＡＣＫコマンドに代えて、待受けコマンドを親機１に送信する（Ｓ１６）。
【００４４】
この待受けコマンドを受信した親機１は、子機２Ａに対して待受けコマンドを送信し（Ｓ１７）、以降、通話キー等が入力されるまで、子機２Ａおよび子機２Ｂのそれぞれに対して、待受けコマンドを一定間隔でかつ交互に送信する（Ｓ１９，Ｓ２１，Ｓ２３，Ｓ２５）。子機２Ａおよび子機２Ｂでは、この待受けコマンドに応答してＡＣＫコマンドを親機１に対して送信し（Ｓ１８，Ｓ２０，Ｓ２２，Ｓ２４）、両子機２Ａ，２Ｂ間では、待受け状態となる。
【００４５】
その後、たとえば子機２Ａにおいて、ユーザによって操作部４８の通話キーが押下された場合、ＡＣＫコマンドに代えて、送話要求コマンドが親機１に送信される（Ｓ２６）。親機１では、送話要求コマンドを受信すると、子機２Ｂに対して送話要求コマンドを送信するとともに（Ｓ２７）、子機２Ａに対しても送話要求コマンドを送信することにより（Ｓ２９）、両子機２Ａ，２Ｂ間において、子機２Ａが送話中となる内線通話を行い得る状態となる。
【００４６】
ここで、図５に示すように、子機２Ａおよび子機２Ｂにおいて内線通話中に、たとえば子機２Ｂが通話圏外に移動したことにより、通話不可の状態となったとする。この場合、子機２Ａにおいて操作部４８の通話キーが離されることにより、子機２Ａからの送話が終了したとすると、子機２Ａは、親機１に待受けコマンドを送信する（Ｓ３１）。親機１は、これに応答してそれ以降、両子機２Ａ，２Ｂにそれぞれ待受けコマンドを送信する（Ｓ３２，Ｓ３３，Ｓ３５，Ｓ３６，Ｓ３８）。
【００４７】
しかしながら、子機２Ｂは、通話圏外であるため、親機１からの待受けコマンドに対するＡＣＫコマンドを返すことができない。親機１は、待受けコマンドを送信した後の、子機２ＢからのＡＣＫコマンドを常時監視しており、この場合、待受けコマンドに対するＡＣＫコマンドがたとえば３回連続して返ってこない場合は、接続異常と判別する。
【００４８】
親機１は、接続異常と判別した場合、接続異常が検出された旨のリンク異常コマンドを子機２Ａに対して送信する（Ｓ３９）。このリンク異常コマンドを受信した子機２Ａでは、表示部４９の液晶ディスプレイパネル４９Ａに、子機２Ｂとの接続に異常が発生したので、子機２Ａと子機２Ｂとの再接続を促す表示を行う。
【００４９】
ここで、上記表示を視認したユーザによって、操作部４８の再接続キーが入力操作されると、子機２Ａは、親機１に対して再接続要求コマンドを送信する（Ｓ４１）。
【００５０】
その後、親機１は、子機２Ａに対して切断コマンドを送る（Ｓ４２）。これにより、親機１と子機２Ａとの接続は一旦切断され、次いで、親機１は、子機２Ａと子機２Ｂとを再び接続するためリンクコマンドを、両子機２Ａ，２Ｂに対して送信するとともに（Ｓ４３，Ｓ４４）、通話チャネル指定コマンドを送る（Ｓ４５，Ｓ４６）。
【００５１】
これにより、子機２Ａおよび子機２Ｂは、接続が回復するとともに、内線通話可能な状態となり、親機１は、両子機２Ａ，２Ｂに対して子機間通話コマンドを送信する（Ｓ４７，Ｓ４９）。これに対し、子機２Ａでは、ＡＣＫコマンドを返し（Ｓ４８）、子機２Ｂでは、内線キーが押下されると、待受けコマンドを返す（Ｓ５０）。その後、親機１は、両子機２Ａ，２Ｂに対して、待受けコマンドを送ることにより（Ｓ５１，Ｓ５３，Ｓ５５）、両子機２Ａ，２Ｂは、待受け状態となる。このとき、子機２Ａにおいて終了キーが操作された場合、子機２Ａは、終了要求コマンドを親機１に送り（Ｓ５６）、それに応じて、親機１は、子機２Ｂに対して終了コマンドを送る（Ｓ５７）。
【００５２】
このように、子機２Ａの待受け中に子機２Ｂ側で接続異常が発生したとき、親機１は、その旨をコマンドにして子機２Ａに送り、子機２Ａでは、接続を回復すべきコマンドを親機１に対して送信するので、親機１では、この接続を回復すべきコマンドに応じて、たとえば通話チャネル指定コマンドを両子機２Ａ，２Ｂに送るといった再接続の処理が行われる。そのため、親機１と子機２との接続を迅速に回復することができ、内線通話を即座に再開させることができる。また、ユーザによる入力操作によって接続を回復することができるので、ユーザは、接続異常が生じたことを認識した上で入力操作を行うことができる。
【００５３】
なお、上記制御において、子機２Ａは、親機２からリンク異常コマンドを受信した場合、自動的に親機１に対して子機２Ｂとの接続を回復させるべく再接続要求コマンドを送信するようにしてもよい。すなわち、子機２Ａは、親機２からリンク異常コマンドを受信したとき、子機２Ｂとの接続に異常が発生した旨を表示部４９に表示させ、この場合、無条件に再接続要求コマンドを送信する。その後の処理については、上記した制御と同様である。
【００５４】
このように、子機２Ａがリンクを回復すべきコマンドを自動的に親機１に対して送信するようにすれば、親機１と子機２との接続が自動的に回復するので、ユーザに対して違和感を与えることなく、内線通話をスムーズに再開させることができる。
【００５５】
次に、待受け中に接続異常が発生したときの親機１の制御動作を、図６および図７に示すフローチャートを参照して説明する。
【００５６】
まず、親機１では、待受け中においては、子機２との接続状態を監視する制御が行われる。具体的には、図６に示すように、親機１のコードレス制御部２５は、内線通話中の子機２に対して、待受けコマンドを送信し（Ｔ１）、図示しない監視タイマをスタートさせる（Ｔ２）。コードレス制御部２５は、待受けコマンドに対して子機２から何らかのコマンドが所定時間内に返ってきた場合、子機２との接続状態は、正常であると認識する。なお、図４のフローシーケンス図に示したように、待受けコマンドは、内線通話中の子機２Ａおよび子機２Ｂに対して交互に送られる。
【００５７】
次いで、コードレス制御部２５は、子機２から何らかのコマンドを受信したか否かを判別する。ステップＴ３では、送話要求コマンドを受信したか否かの判別を行い、送話要求コマンドを受信した場合（Ｔ３：ＹＥＳ）、送話モードに移行する。送話モードとは、相手側の子機２との通話が可能なモード状態であって、この場合、送話要求コマンドを送信した子機２（たとえば子機２Ａ）が送話可能な状態をいう。
【００５８】
コードレス制御部２５は、送話要求コマンドを受信していない場合（Ｔ３：ＮＯ）、終了要求コマンドを受信したか否かの判別を行い（Ｔ４）、終了要求コマンドを受信した場合（Ｔ４：ＹＥＳ）、終了要求コマンドを送信した子機２に対して終了コマンドを送信する（Ｔ５）。これにより、親機１は待機状態となる。
【００５９】
コードレス制御部２５は、終了要求コマンドを受信していない場合（Ｔ４：ＮＯ）、ＡＣＫコマンドを受信したか否かの判別を行い（Ｔ６）、ＡＣＫコマンドを受信した場合（Ｔ６：ＹＥＳ）、タイマをリセットする（Ｔ７）。そして、所定時間経過後（Ｔ８：ＹＥＳ）、ステップＴ１に戻り、待受けコマンドをＡＣＫコマンドを送信した子機２に対して送信する。
【００６０】
一方、ＡＣＫコマンドを受信しない場合（Ｔ６：ＮＯ）、コードレス制御部２５は、タイマがオーバフローしたか否かの判別を行い（Ｔ９）、タイマがオーバフローしていない場合（Ｔ９：ＮＯ）、ステップＴ３の送話要求コマンドを受信したか否かの判別に戻る。
【００６１】
また、ステップＴ９において、タイマがオーバフローしたと判別した場合（Ｔ９：ＹＥＳ）、すなわち、待受けコマンドを送信してから一定時間経過しても何らコマンドが返ってこない場合、コードレス制御部２５は、子機２との接続状態に異常が発生したと認識し、接続状態に異常が発生した子機２と内線通話を行っている相手側の子機２に対して、リンク異常コマンドを送信する（Ｔ１０）。
【００６２】
次いで、図７に進み、コードレス制御部２５は、相手側の子機２からの再接続要求コマンドを受信したか否かの判別を行う（Ｔ１１）。再接続要求コマンドを受信していない場合（Ｔ１１：ＮＯ）、終了要求コマンドを受信したか否かの判別を行う（Ｔ１２）。終了要求コマンドを受信した場合（Ｔ１２：ＹＥＳ）、すなわち、相手側の子機２側のユーザが内線通話を終了させるために終了キーを押下した場合、コードレス制御部２５は、相手側の子機２に対して終了コマンドを送信して（Ｔ１３）、待機中となる。また、終了要求コマンドを受信しない場合（Ｔ１２：ＮＯ）、ステップＴ１１に戻る。
【００６３】
ステップＴ１１において、再接続要求コマンドを受信した場合（Ｔ１１：ＹＥＳ）、すなわち、相手側の子機２側のユーザが、異常が発生した子機２と再接続するための再接続キーを押下した場合、コードレス制御部２５は、両子機２に対してリンクを再接続するために、一旦、相手側の子機２に対して切断コマンドを送信するとともに（Ｔ１４）。リンクコマンドを送信する（Ｔ１５）。
【００６４】
次いで、コードレス制御部２５は、両子機２の内線通話に使用されていた通話チャンル以外の通話チャネルがあるか否かを判別する（Ｔ１６）。これは、接続異常を生じたときに用いられる通話チャネル以外の通話チャネルを、再接続したときに用いるようにするためであり、接続異常を生じたときに用いられる通話チャネルが何らかの障害を受けている可能性があるからである。ステップＴ１６において、通話チャネルがない場合（Ｔ１６：ＮＯ）、内線通話を強制的に終了させるために、ステップＴ１３の終了コマンドを送信する処理に進む。
【００６５】
また、ステップＴ１６において、通話チャネルがある場合（Ｔ１６：ＹＥＳ）、コードレス制御部２５は、適当な別の通話チャネルを選択する（Ｔ１７）。そして、選択された通話チャネルを含む通話チャネル指定コマンドを送信する（Ｔ１８）。
【００６６】
その後、コードレス制御部２５は、相手側の子機２からＮＡＣＫコマンドを受信したか、またはＡＣＫコマンドを受信したかの判別を行い（Ｔ１９）、ＮＡＣＫコマンドを受信した場合、ステップＴ１６の通話チャネルの有無の判別処理に戻る。また、ＡＣＫコマンドを受信した場合、コードレス制御部２５は、子機間通話コマンドを送信し（Ｔ２０）、呼出しモードに移行する。呼出しモードとは、相手側の子機２が異常の発生した子機２を呼出すモード状態をいう。
【００６７】
このように、親機１は、子機２からリンクを回復すべきコマンドを受信したとき、予め設定されていた通話チャネルとは別の通話チャネルに切り替え、切り替えた通話チャネルに基づいて通話チャネル指定コマンドを送信する。接続異常が検出されたときには、それ以前に用いられていた通話チャネルに何らかの障害が生じている可能性が高いため、上記のように別の通話チャネルに切り替えれば、通話チャネルに障害が生じている等の不都合を解消して、親機１および子機２間の接続をより確実に回復させることができる。
【００６８】
次に、待受け中にリンク接続異常が発生したときの子機２の制御動作を、図８に示すフローチャートを参照して説明する。
【００６９】
子機２の制御部４１は、親機１からリンク異常コマンドを受信したか否かの判別を行い（Ｔ３１）、リンク異常コマンドを受信した場合（Ｔ３１：ＹＥＳ）、表示部４９の液晶ディスプレイパネル４９Ａに再接続を促す旨の表示を行う（Ｔ３２）。これにより、ユーザは、リンクに異常が発生したので、リンクの再接続を行うかどうか、あるいは内線通話を終了するかを判断することができる。
【００７０】
制御部４１は、ユーザによって内線通話を終了するための、操作部４８の終了キーが押下されたか否かを判別し（Ｔ３３）、終了キーが押下された場合（Ｔ３３：ＹＥＳ）、終了要求コマンドを親機１に対して送信し（Ｔ３４）、その後、待機モードとなる。
【００７１】
終了キーが押下されないと判別した場合（Ｔ３３：ＮＯ）、ユーザによって再接続キーが押下されたか否かを判別し（Ｔ３５）、再接続キーが押下されない場合（Ｔ３５：ＮＯ）、ステップＴ３３に戻る。再接続キーが押下された場合（Ｔ３５：ＹＥＳ）、再接続要求コマンドを親機１に対して送信し（Ｔ３６）、表示部４９の液晶ディスプレイパネル４９Ａに再接続処理を実施中である旨の表示を行う（Ｔ３７）。
【００７２】
次いで、制御部４１は、親機１から通話チャネル指定コマンドを受信したか否かの判別を行い（Ｔ３８）、通話チャネル指定コマンドを受信した場合（Ｔ３８：ＹＥＳ）、通話チャネル指定コマンドに含まれている通話チャネルを用いることができるか否かを判別する（Ｔ３９）。通話チャネルが使用できない場合（Ｔ３９：ＮＯ）、ＮＡＣＫコマンドを親機１に送信し（Ｔ４０）、ステップＴ３８の通話チャネル指定コマンドを受信したか否かの判別処理に戻る。
【００７３】
ステップＴ３９において、通話チャネルが使用可能である場合（Ｔ３９：ＹＥＳ）、ＡＣＫコマンドを親機１に送信し（Ｔ４１）、次いで、子機間通話コマンドを受信したか否かを判別する（Ｔ４２）。子機間通話コマンドを受信した場合（Ｔ４２：ＹＥＳ）、呼出しモードに移行する。
【００７４】
上記子機２の制御では、リンク異常コマンドが親機１から受信した場合、ユーザに親子間の再接続を操作入力させるようにしたが、親子間の再接続を自動で行う場合には、図８に示す制御動作のステップＴ３２〜Ｔ３５の処理が削除され、リンク異常コマンドが親機１から受信した場合（Ｔ３１：ＹＥＳ）、即座に再接続要求コマンドを送信する処理（Ｔ３６）を行う。
【００７５】
なお、本願発明は、上記実施形態に限定されるものではない。たとえば、親機１および子機２の内部構成は、図１に示した構成に限るものではない。
【００７６】
【発明の効果】
以上説明したように、請求項１に記載した発明の電話装置によれば、親機において、内線通話を行っている一方の子機との接続に接続異常が検出されたとき、その旨をコマンドにして他方の子機に送り、他方の子機では、接続を回復すべきコマンドを親機に対して送信するので、親機では、この接続を回復すべきコマンドに応じて、再接続の処理が行われる。そのため、親機と子機との接続を迅速に回復することができ、内線通話を即座に再開させることができる。なお、他方の子機では、親機から接続異常が検出された旨のコマンドが送られたとき、接続を回復すべきコマンドを親機に対して自動的に送信するようにしてもよい。これによると、親機と子機との接続が自動的に回復するので、ユーザに対して違和感を与えることなく、内線通話をスムーズに再開させることができる。
【００７７】
また、請求項２に記載した発明の電話装置によれば、請求項１に記載の電話装置による効果に加え、ユーザによる入力操作によって接続を回復することができるので、ユーザは、接続異常が生じたことを認識した上で、接続を回復させるべき入力操作を行うことができる。
【００７８】
さらに、請求項３に記載した発明の電話装置によれば、請求項１または２に記載の電話装置による効果に加え、子機に対して送られた定期コマンドに応答した応答コマンドが返信されないとき、接続異常を検出するので、容易に親機と子機との接続異常を検出することができる。
【００７９】
さらに、請求項４に記載した発明の電話装置によれば、請求項３に記載の電話装置による効果に加え、接続異常が検出されたときには、それ以前に用いられていたチャネル（たとえば通話チャネル）に何らかの障害が生じている可能性が高いため、上記のように別のチャネルに切り替えれば、通話チャネルに障害が生じている等の不都合を解消して、親機と子機との接続をより確実に回復させることができる。
【００８０】
さらに、請求項５に記載した発明の電話装置によれば、請求項４に記載の電話装置による効果に加え、子機からＡＣＫコマンドを受信した場合、子機に対して子機間通話コマンドを送信するので、スムーズに子機間同士の通話を開始させることができる。
【００８１】
さらに、請求項６に記載した発明の電話装置によれば、請求項５に記載の電話装置による効果に加え、子機からＮＡＣＫコマンドを受信した場合、チャネルをさらに別のチャネルに切り替えるので、親機と子機との接続をより迅速に回復させることができる。
【図面の簡単な説明】
【図１】本発明に係る電話装置の概略ブロック構成図である。
【図２】親機のパネル面を示す図である。
【図３】子機の外観図である。
【図４】親機および子機のコマンドのやり取りを示すフローシーケンス図である。
【図５】親機および子機のコマンドのやり取りを示すフローシーケンス図である。
【図６】親機の制御動作を示すフローチャートである。
【図７】親機の制御動作を示すフローチャートである。
【図８】子機の制御動作を示すフローチャートである。
【符号の説明】
１　　ファクシミリ装置（親機）
２　　子機
２Ａ　一方の子機
２Ｂ　他の子機
２５　　コードレス制御部
２８　　公衆電話回線
４１　　制御部
４９　　表示部（子機の）
４９Ａ　液晶ディスプレイパネル（子機の）
【図１】
2004120207.tif 000003
【図２】
2004120207.tif 000004
【図３】
2004120207.tif 000005
【図４】
2004120207.tif 000006
【図５】
2004120207.tif 000007
【図６】
2004120207.tif 000008
【図７】
2004120207.tif 000009
【図８】
2004120207.tif 000010